(57)【要約】イオンを発生させるためのイオン源と、イオンを受け取るための入口開口およびイオンを真空チャンバから通過させるための出口開口を有する真空チャンバとを含む方法および装置が提供される。少なくとも１つのイオンガイドが、入口と出口開口との間に提供され、少なくとも１つのイオンガイドは、入口端および出口端を有する。少なくとも１つのイオンガイドは、内側シリンダおよび外側シリンダを有する。内側シリンダは、複数の区画を有し、各区画は、異なる数のスロットを有し、内側シリンダは、外側シリンダ内に同軸に配置され、内側シリンダは、２つ以上の多重極場を発生させるように構成されている。外側シリンダと内側シリンダとの間にＲＦ電圧を提供するために、電力供給源が、提供される。
2015503826.tif 000002
【特許請求の範囲】
【請求項１】
質量分析計システムであって、
イオンを試料から発生させるためのイオン源と、
前記イオンを受け取るための入口開口およびイオンを真空チャンバから通過させるための出口開口を備えている真空チャンバと、
前記入口開口と前記出口開口との間の少なくとも１つのイオンガイドであって、前記少なくとも１つのイオンガイドは、入口端および出口端を有し、前記少なくとも１つのイオンガイドは、内側シリンダおよび外側シリンダを備え、前記内側シリンダは、複数の区画を有し、各区画は、前記内側シリンダ内に複数のスロットを備え、前記内側シリンダの前記複数の区画の各々は、異なる数のスロットを備え、前記内側シリンダは、前記外側シリンダ内に同軸に配置され、前記内側シリンダは、２つ以上の多重極ＲＦ場を発生させるように構成されている、少なくとも１つのイオンガイドと、
前記イオンを前記少なくとも１つのイオンガイドの内側シリンダ内に半径方向に閉じ込めるために、前記外側シリンダと前記内側シリンダとの間にＲＦ電圧を提供する電力供給源と
を備えている、システム。
【請求項２】
前記スロットの数は、ｎ／２によって決定され、ｎは、発生される前記多重極ＲＦ場の次数である、請求項１に記載のシステム。
【請求項３】
前記内側シリンダの前記複数の区画内の前記スロットの数は、四重極場を発生させるための２つのスロット、六重極電場を発生させるための３つのスロット、八重極電場を発生させるための４つのスロット、および任意のそれらの組み合わせから成る群から選択される、請求項２に記載のシステム。
【請求項４】
前記内側シリンダの前記複数の区画は、第１の区画および第２の区画を備え、各区画は、前記２つ以上の多重極ＲＦ場を発生させるための複数のスロットを有する、請求項１に記載のシステム。
【請求項５】
前記第１の区画は、八重極場を発生させるための４つのスロットを備え、前記第２の区画は、四重極場を発生させるための２つのスロットを備えている、請求項４に記載のシステム。
【請求項６】
前記外側シリンダは、メッシュ状である、請求項１に記載のシステム。
【請求項７】
前記複数のスロットは、前記所望の２つ以上の多重極場を発生させるために、好適に離間されている、請求項１に記載のシステム。
【請求項８】
前記内側シリンダの長さは、前記所望の２つ以上の多重極場を発生させるために好適である、請求項１に記載のシステム。
【請求項９】
前記外側シリンダの長さは、前記所望の２つ以上の多重極場を発生させるために好適である、請求項１に記載のシステム。
【請求項１０】
前記少なくとも１つのイオンガイドの出口端における前記内側シリンダの区画は、より強力な四重極場を発生させるための追加の四重極電極をさらに備えている、請求項１に記載のシステム。
【請求項１１】
イオンを伝送する方法であって、
イオンを試料から発生させるためのイオン源を提供することと、
前記イオンを受け取るための入口開口およびイオンを真空チャンバから通過させるための出口開口を備えている真空チャンバを提供することと、
前記入口開口と前記出口開口との間に少なくとも１つのイオンガイドを提供することであって、前記少なくとも１つのイオンガイドは、入口端と、内部容積を画定する所定の入口断面と、出口端とを有する、ことと、
内側シリンダおよび外側シリンダを備えている前記少なくとも１つのイオンガイドを提供することであって、前記内側シリンダは、複数のスロットを備えている複数の区画を有し、前記内側シリンダの前記複数の区画の各々は、異なる数のスロットを備え、前記内側シリンダは、前記外側シリンダ内に同軸に配置され、前記内側シリンダは、２つ以上の多重極ＲＦ場を発生させるように構成されている、ことと、
前記イオンを前記少なくとも１つのイオンガイドの内側シリンダ内に半径方向に閉じ込めるために、前記外側シリンダと前記内側シリンダとの間にＲＦ電圧を提供する電力供給源を提供することと
を含む、方法。
【請求項１２】
前記スロットの数は、ｎ／２によって決定され、ｎは、発生される前記多重極ＲＦ場の次数である、請求項１１に記載の方法。
【請求項１３】
前記内側シリンダの前記複数の区画内の前記スロットの数は、四重極場を発生させるための２つのスロット、六重極電場を発生させるための３つのスロット、八重極電場を発生させるための４つのスロット、および任意のそれらの組み合わせから成る群から選択される、請求項１２に記載の方法。
【請求項１４】
前記内側シリンダの前記複数の区画は、第１の区画および第２の区画を備え、各区画は、前記２つ以上の多重極ＲＦ場を発生させるためのスロットを有する、請求項１１に記載の方法。
【請求項１５】
前記第１の区画は、八重極場を発生させるための４つのスロットを備え、前記第２の区画は、四重極場を発生させるための２つのスロットを備えている、請求項１４に記載の方法。
【請求項１６】
前記外側シリンダは、メッシュ状である、請求項１１に記載の方法。
【請求項１７】
前記複数のスロットは、前記所望の多重極場を発生させるために、好適に離間されている、請求項１１に記載の方法。
【請求項１８】
前記内側シリンダの長さは、前記所望の２つ以上の多重極場を発生させるために好適である、請求項１１に記載の方法。
【請求項１９】
前記外側シリンダの長さは、前記所望の２つ以上の多重極場を発生させるために好適である、請求項１１に記載の方法。
【請求項２０】
前記少なくとも１つのイオンガイドの出口端における前記内側シリンダの区画と前記少なくとも１つのイオンガイドの出口端における前記外側シリンダの対応する区画とは、より強力な四重極場を発生させるための追加の電極を備えている、請求項１１に記載の方法。
【発明の詳細な説明】
【技術分野】
【０００１】
（関連出願）
本願は、米国仮出願第６１／５８１，３４９号（２０１１年１２月２９日出願）の利益および優先権を主張する。該出願の全内容は、参照により本明細書に援用される。
【０００２】
（技術分野）
本出願人の教示は、質量分析計における改良された感度のための方法および装置に関し、およびより具体的には、イオンを輸送するためのイオンガイドに関する。
【背景技術】
【０００３】
質量分析では、試料分子は、イオン化ステップにおいて、イオン源を使用して、イオンに変換され、次いで、質量分離および検出ステップにおいて、質量分析器によって検出される。大部分の大気圧イオン源の場合、イオンは、真空チャンバ内のイオンガイドへの流入に先立って、入口開口を通過する。イオンガイドは、イオンをイオン源から後続真空チャンバに輸送し集束させ、高周波電圧が、イオンガイドに印加され、イオンガイド内にイオンの半径方向集束を提供することができる。しかしながら、イオンガイドを通したイオンの輸送の間、イオン損失が、生じ得る。したがって、イオンガイドに沿ったイオンの輸送効率を増加させ、輸送の間のイオンの損失を防止し、高感度を達成することが望ましい。
【発明の概要】
【課題を解決するための手段】
【０００４】
前述に照らして、本出願人の教示は、質量分析計システムを備えている。種々の側面では、本システムは、イオンを試料から発生させるためのイオン源と、イオンを受け取るための入口開口およびイオンを真空チャンバから通過させるための出口開口を備えている真空チャンバとを備えている。種々の実施形態では、システムは、入口開口と出口開口との間の少なくとも１つのイオンガイドであって、入口端および出口端を有する、少なくとも１つのイオンガイドを備えている。種々の側面では、少なくとも１つのイオンガイドは、内側シリンダおよび外側シリンダを備え、内側シリンダは、複数の区画を有し、各区画は、内側シリンダ内に複数のスロットを備え、内側シリンダの複数の区画の各々は、異なる数のスロットを備えている。種々の側面では、内側シリンダは、外側シリンダ内で同軸に配置されることができ、内側シリンダは、２つ以上の多重極ＲＦ場を発生させるように構成されることができる。種々の側面では、本システムは、イオンを少なくとも１つのイオンガイドの内側シリンダ内に半径方向に閉じ込めるために、外側シリンダと内側シリンダとの間にＲＦ電圧を提供する電力供給源を備えている。種々の側面では、複数のスロットは、所望の２つ以上の多重極場を発生させるために、好適に離間されていることができる。種々の実施形態では、スロットの数は、ｎ／２によって決定され、ｎは、発生される多重極ＲＦ場の次数である。種々の側面では、内側シリンダの複数の区画内のスロットの数は、四重極場を発生させるための２つのスロット、六重極電場を発生させるための３つのスロット、八重極電場を発生させるための４つのスロット、および任意のそれらの組み合わせから成る群から選択されることができる。種々の実施形態では、内側シリンダの複数の区画は、第１の区画および第２の区画を備え、各区画は、２つ以上の多重極ＲＦ場を発生させるための複数のスロットを有する。種々の側面では、第１の区画は、八重極場を発生させるための４つのスロットを備え、第２の区画は、四重極場を発生させるための２つのスロットを備えている。種々の実施形態では、外側シリンダは、メッシュを備えている。種々の側面では、複数のスロットは、所望の２つ以上の多重極場を発生させるように、好適にサイズを決定されることができる。種々の側面では、少なくとも１つのイオンガイドの出口端近傍の内側シリンダの区画はさらに、より強力な四重極場を発生させるための追加の四重極電極を備えている。
【０００５】
イオンを伝送する方法も、提供される。種々の側面では、本方法は、イオンを試料から発生させるためのイオン源を提供することを含む。種々の実施形態では、本方法は、イオンを受け取るための入口開口およびイオンを真空チャンバから通過させるための出口開口を備えている真空チャンバを提供することを含む。種々の側面では、少なくとも１つのイオンガイドは、入口開口と出口開口との間に提供され、少なくとも１つのイオンガイドは、入口端および出口端を有することができる。種々の実施形態では、少なくとも１つのイオンガイドは、内側シリンダおよび外側シリンダを備えている。種々の側面では、内側シリンダは、複数の区画を有することができ、各区画は、内側シリンダ内に複数のスロットを備え、内側シリンダの複数の区画の各々は、異なる数のスロットを備えている。種々の側面では、内側シリンダは、外側シリンダ内に同軸に配置されることができ、内側シリンダは、２つ以上の多重極ＲＦ場を発生させるように構成される。種々の実施形態では、本方法は、イオンを少なくとも１つのイオンガイドの内側シリンダ内に半径方向に閉じ込めるために、外側シリンダと内側シリンダとの間にＲＦ電圧を提供する電力供給源を提供することを含む。
【０００６】
種々の側面では、複数のスロット間の間隔は、所望の２つ以上の多重極場を発生させるために、好適に離間されていることができる。種々の実施形態では、スロットの数は、ｎ／２によって決定され、ｎは、発生される多重極ＲＦ場の次数である。種々の側面では、内側シリンダの複数の区画内のスロットの数は、四重極場を発生させるための２つのスロット、六重極電場を発生させるための３つのスロット、八重極電場を発生させるための４つのスロット、および任意のそれらの組み合わせから成る群から選択されることができる。種々の実施形態では、内側シリンダの複数の区画は、第１の区画および第２の区画を備え、各区画は、２つ以上の多重極ＲＦ場を発生させるための複数のスロットを有する。種々の側面では、第１の区画内のスロットの数は、第２の区画内のスロットの数と異なる。種々の実施形態では、第１の区画は、八重極場を発生させるための４つのスロットを備え、第２の区画は、四重極場を発生させるための２つのスロットを備えている。種々の側面では、外側シリンダは、メッシュ状であることができる。種々の側面では、複数のスロットは、所望の２つ以上の多重極場を発生させるために、好適にサイズを決定されることができる。種々の側面では、少なくとも１つのイオンガイドの出口端の近傍の内側シリンダの区画はさらに、より強力な四重極場を発生させるための追加の四重極電極を備えている。
【０００７】
本出願人の教示のこれらおよび他の特徴が、本明細書に記載される。
【図面の簡単な説明】
【０００８】
当業者は、以下に説明される図面が、例証目的にすぎないことを理解するであろう。図面は、本出願人の教示の範囲をいかようにも限定する意図はない。
【図１】図１は、本出願人の教示の種々の実施形態による、質量分析計システムの概略図である。
【図２】図２は、本出願人の教示の種々の実施形態による、図１の実施形態のイオンガイドの断面図である。
【図３】図３は、本出願人の教示の種々の実施形態による、イオンガイドの断面図である。
【図４】図４は、本出願人の教示の種々の実施形態による、図３の実施形態のイオンガイドによって発生される、複数の多重極場であるＲＦ場を示す。
【図５】図５は、本出願人の教示の種々の実施形態による、イオンガイドの断面図である。
【図６】図６は、本出願人の教示の種々の実施形態による、イオンガイドの概略図である。
【図７】図７は、本出願人の教示の種々の実施形態による、一連のイオンガイドの概略図である。
【０００９】
図面中、類似参照番号は、類似部品を示す。
【発明を実施するための形態】
【００１０】
種々の要素を参照して、本出願人の教示と関連して使用される語句「ａ」または「ａｎ」は、文脈によって明確に示されない限り、「１つ以上」または「少なくとも１つ」を包含することを理解されたい。種々の側面では、イオンを伝送するための質量分析システムおよび方法が、提供される。最初に、本出願人の教示の種々の実施形態による、質量分析システム２０を図式的に示す、図１を参照する。種々の実施形態では、システム２０は、イオン２４を図示されない着目試料から発生させるためのイオン源２２を備えている。種々の側面では、イオン２４は、真空チャンバ２６に向かって、矢印３２によって示される方向に進行することができる。種々の側面では、真空ポンプ４１ａは、好適な真空を真空チャンバ２６に提供することができる。種々の実施形態では、真空チャンバ２６はさらに、イオン２４を真空チャンバ２６から通過させるための、入口開口２８の下流に位置する出口開口３０を備えていることができる。種々の側面では、出口開口３０は、第１の真空チャンバとしても知られる、真空チャンバ２６を、図１に例示されるような質量分析器５４、またはさらに、図７に例示されるようなイオンガイド５６を格納し得る次のまたは第２の真空チャンバ５２から分離することができる。種々の側面では、真空ポンプ４１ｂは、好適な真空を真空チャンバ５２に提供することができる。種々の側面では、システム２０は、少なくとも１つのイオンガイド３４を備えていることができる。種々の実施形態では、少なくとも１つのイオンガイド３４が、イオン２４を半径方向に閉じ込めるため、集束するため、および伝送するために、入口開口２８と出口開口３０との間に位置付けられることができる。種々の実施形態では、少なくとも１つのイオンガイド３４は、入口端３６および出口端３８を備えていることができる。種々の実施形態では、少なくとも１つのイオンガイド３４は、内側シリンダ４０および外側シリンダ４２を備えていることができる。
【００１１】
種々の側面では、内側シリンダ４０は、図２に例示されるように、複数の区画４４ａ、４４ｂ等を備えていることができる。種々の実施形態では、内側シリンダ４０の複数の区画４４の各々は、異なる数のスロット４６ａ、４６ｂ等を備えていることができる。例えば、図２は、図１のイオンガイド３４の断面を示し、内側シリンダ４０は、区画４４ａ、４４ｂ、および４４ｃを備えている。区画の各々は、異なる数のスロットを有することができる。例えば、図２に例示されるように、区画４４ａ、４４ｂ、および４４ｃは、陰影面積によって表される、異なる数のスロット４６ａ、４６ｂ、および４６ｃを有する。種々の側面では、内側シリンダ４０の各区画４４は、任意の数のスロットを備えていることができる。種々の側面では、内側シリンダの表面は、スロットを形成するように機械加工されることができる。種々の実施形態では、スロットは、所望の多重極ＲＦ場を発生されるためのスロットを形成するために、好適に離間されていることができる。種々の実施形態では、内側シリンダ４０は、図１および２に示されるように、外側シリンダ４２内に同軸に配置され、２つ以上の多重極ＲＦ場を発生させることができる。種々の実施形態では、外側シリンダと内側シリンダとの間の距離は、スロットの幅未満であることができる。種々の実施形態では、外側シリンダと内側シリンダとの間の距離は、約１ｍｍであることができる。種々の実施形態では、内側シリンダの厚さは、スロットの幅未満であることができる。種々の実施形態では、内側シリンダの厚さは、約０．５ｍｍ〜約１ｍｍであることができる。種々の実施形態では、最小スロットの幅は、約１ｍｍであることができる。種々の実施形態では、外側シリンダと内側シリンダとの間の距離は、スロットの幅未満であることができる。内側シリンダの厚さは、スロットの幅未満であることができる。次いで、種々の実施形態では、内側シリンダの厚さは、約０．５〜約１ｍｍであることができ、最小スロットの幅は、１ｍｍであることができる。種々の実施形態では、電力供給源４８は、イオンを少なくとも１つのイオンガイド３４の内側シリンダ４０内に半径方向に閉じ込めるために、外側シリンダ４２と内側シリンダ４０との間にＲＦ電圧を提供することができる。種々の実施形態では、ＤＣ電位もまた、外側シリンダ４２と内側シリンダ４０との間に印加されることができる。
【００１２】
種々の実施形態では、内側シリンダの各区画内のスロットの数は、ｎ／２によって決定されることができ、ｎは、発生される多重極ＲＦ場の次数である。種々の多重極場が、発生されることができる。例えば、内側シリンダ内に１２のスロットが存在する場合、２４重極場が、発生されることができ、４つのスロットは、八重極場を形成することができ、２つのスロットは、四重極場を形成することができる。種々の側面では、内側シリンダの複数の区画内のスロットの数は、四重極場を発生させるための２つのスロット、六重極電場を発生させるための３つのスロット、八重極電場を発生させるための４つのスロット、および任意のそれらの組み合わせから成る群から選択されることができる。
【００１３】
種々の側面では、図２に例示されるように、内側シリンダ４０の複数の区画は、区画を備えていることができる。例えば、図２に図示されるように、第１の区画４４ａおよび第２の区画４４ｂの各々は、それぞれ、２つ以上の多重極ＲＦ場を発生させるための複数のスロット４６ａおよび４６ｂを備えている。種々の実施形態では、例えば、第１の区画は、八重極場を発生させるための４つのスロットを備えていることができ、第２の区画は、四重極場を発生させるための２つのスロットを備えていることができる。種々の実施形態では、複数のスロットの長さおよび幅は、所望の多重極場を発生させるために、好適にサイズを決定されることができる。種々の実施形態では、外側シリンダと内側シリンダとの間の距離は、スロットの幅未満であることができる。種々の実施形態では、外側シリンダと内側シリンダとの間の距離は、約１ｍｍであることができる。種々の実施形態では、内側シリンダの厚さは、スロットの幅未満であることができる。種々の実施形態では、内側シリンダの厚さは、約０．５ｍｍ〜約１ｍｍであることができる。種々の実施形態では、最小スロットの幅は、約１ｍｍであることができる。種々の側面では、図３は、実施例として、２４重極場を発生させるための１２のスロット４６ａを有する第１の区画４４ａ、八重極電場を発生させるための４つのスロット４６ｂを備えている第２の区画４４ｂ、および四重極場を発生させるための２つのスロット４６ｃを備えている第３の区画４４ｃを備えている、内側シリンダ４０の複数の区画を示す。スロットは、陰影面積によって表される。図３の少なくとも１つのイオンガイドの各区画内に発生され得る、複数の多重極ＲＦ場である、２４重極場、八重極場、および四重極場を例示する、図４を参照されたい。
【００１４】
種々の実施形態では、内側シリンダは、伝導性材料から成ることができ、種々の側面では、限定ではないが、真鍮から成ることができる。種々の実施形態では、外側シリンダは、伝導性材料から成ることができ、種々の側面では、限定ではないが、ステンレス鋼から成ることができる。種々の実施形態では、外側シリンダは、中実（ｓｏｌｉｄ）であることができる。種々の実施形態では、外側シリンダは、より良好な真空圧送のために、メッシュ状であることができる。種々の実施形態では、内側および外側シリンダの厚さは、変動し得る。種々の実施形態では、内側シリンダの厚さは、スロットの幅未満であることができる。種々の実施形態では、内側シリンダの厚さは、約０．５ｍｍ〜約１ｍｍであることができる。種々の実施形態では、最小スロットの幅は、約１ｍｍであることができる。
【００１５】
種々の実施形態では、内側シリンダの長さは、所望の多重極場を発生させるために好適であり得る。種々の実施形態では、外側シリンダの長さは、所望の多重極場を発生させるために好適であり得る。種々の実施形態では、内側シリンダの長さは、１０ｍｍより長くあることができる。種々の実施形態では、内側シリンダの長さは、約５０ｍｍ〜約２００ｍｍであることができる。種々の実施形態では、外側シリンダの長さは、約５０ｍｍ〜約２００ｍｍであることができる。
【００１６】
種々の側面では、図５に例示されるような少なくとも１つのイオンガイド３４が、提供される。少なくとも１つのイオンガイド３４は、内側シリンダ４０および外側シリンダ４２を備えていることができる。本実施例では、内側シリンダは、複数の区画、Ａ、Ｂ、およびＣを備えている。内側シリンダの複数の区画の各々は、陰影面積によって表される、異なる数のスロット４６ａ、４６ｂ等を備えていることができる。種々の実施形態では、内側シリンダの各区画のスロットの数は、ｎ／２によって決定されることができ、ｎは、発生される多重極ＲＦ場の次数である。種々の側面では、内側シリンダは、外側シリンダ内に同軸に配置されることができる。少なくとも１つのイオンガイド３４の出口端３８近傍の内側シリンダ４０の区画Ｄはさらに、より強力な四重極場を発生させるために、追加の四重極電極５０を備えていることができる。また、追加の電極５０を備えている、少なくとも１つのイオンガイドを例示する、図６も参照されたい。種々の実施形態では、追加の四重極電極５０は、少なくとも１つのイオンガイド３４内の任意の場所に位置することができる。種々の実施形態では、ＲＦ電圧４８が、追加の四重極電極５０に印加されることができる。種々の側面では、異なる形状の電極を含有する他の構成もまた、可能であり得る。
【００１７】
種々の実施形態では、少なくとも１つのイオンガイドは、２つ以上のイオンガイドを備えていることができる。種々の側面では、各イオンガイドは、２つ以上の多重極ＲＦ場を発生させるように構成されることができる。種々の側面では、少なくとも１つのイオンガイドは、一連の多重極イオンガイドを備えていることができる。例えば、第１の多重極イオンガイド３４および第２の多重極イオンガイド５６を示す、図７を参照されたい。図７では、共通要素は、図１と同一の参照番号を有し、簡潔にするために、既に前述されているこれらの共通要素の説明は、繰り返されない。種々の側面では、一連の多重極イオンガイドの各イオンガイドは、２つ以上の多重極場を発生させるように構成されることができる。本実施例では、２つのイオンガイド３４および５６が、その一連を画定するが、しかしながら、一連のイオンガイドは、２つを上回るイオンガイドを備えていることができる。
【００１８】
種々の側面では、イオン２４は、イオン２４を受け取る入口開口２８を通して、チャンバ２６に流入することができ、そこで、イオンは、典型的には、例えば、本出願人の米国特許第７，２５６，３９５号および第７，２５９，３７１号（参照することによって本明細書に組み込まれる）に説明されるような超音速自由噴流拡張と称される、ガスの超音速流によって同伴される。種々の実施形態では、２４重極場を発生させるように構成されるときの少なくとも１つのイオンガイドの第１の区画の長さは、八重極または四重極等の下側多重極領域を通過する、オリフィスからの空気の自由噴流等の高速を伴う空気を回避するために、マッハディスクより短くあり得る。
【００１９】
種々の実施形態では、少なくとも１つの複数の多重極イオンガイドを生産または製造するための方法が、提供される。本方法は、内側シリンダおよび外側シリンダを生産するステップを含むことができる。種々の側面では、内側シリンダは、複数の区画を備えていることができる。種々の実施形態では、各区画は、少なくとも１つのイオンガイド内に２つ以上の多重極ＲＦを発生させるために、異なる数のスロットを形成するように機械加工されることができる。内側シリンダの複数の区画の各々は、異なる数のスロットを備えていることができる。種々の実施形態では、内側シリンダの各区画のスロットの数は、ｎ／２によって決定されることができ、ｎは、発生される多重極ＲＦ場の次数である。種々の実施形態では、内側シリンダは、一体的に形成されることができる。種々の側面では、外側シリンダは、メッシュ状であることができる。種々の側面では、内側シリンダは、外側シリンダ内に同軸に配置されるように構成されることができる。種々の実施形態では、内側および外側シリンダの厚さは、変動し得る。種々の実施形態では、内側シリンダの厚さは、スロットの幅未満であることができる。種々の実施形態では、内側シリンダの厚さは、約０．５ｍｍ〜約１ｍｍであることができる。種々の実施形態では、最小スロットの幅は、約１ｍｍであることができる。種々の実施形態では、内側シリンダの長さは、所望の多重極場を発生させるために好適であり得る。種々の実施形態では、外側シリンダの長さは、所望の多重極場を発生させるために好適であり得る。種々の実施形態では、内側シリンダの長さは、１０ｍｍより長くあることができる。種々の実施形態では、内側シリンダの長さは、約５０ｍｍ〜約２００ｍｍであることができる。種々の実施形態では、外側シリンダの長さは、約５０ｍｍ〜約２００ｍｍであることができる。
【００２０】
限定されないが、特許、特許出願、記事、書籍、論文、およびウェブページを含む、本願で引用される全文献および類似資料は、そのような文献および類似材料の形式にかかわらず、その全体として、参照することによって明示的に組み込まれる。定義される用語、用語の使用、説明される技法、または同等物を含むが、それらに限定されない、組み込まれた文献および類似資料のうちの１つ以上が、本願と異なるまたは矛盾する場合、本願が優先する。
【００２１】
本出願人の教示は、特に、具体的例証的実施形態を参照して図示および説明されたが、形式および詳細における種々の変更が、本教示の精神および範囲から逸脱することなく、行なわれてもよいことを理解されたい。したがって、本教示およびその均等物の精神ならびに範囲内にある全実施形態が、請求される。本出願人の教示の方法の説明および略図は、そのように記載がない限り、要素の説明される順序に限定されるものと読まれるべきではない。
【００２２】
本出願人の教示は、種々の実施形態および実施例と併せて説明されたが、本出願人の教示が、そのような実施形態または実施例に限定されることを意図しない。対照的に、本出願人の教示は、当業者によって理解されるような種々の代替、修正、および均等物を包含し、全てのそのような修正または変形例は、本発明の領域および範囲内であると考えられる。
【図１】
2015503826.tif 000003
【図２】
2015503826.tif 000004
【図３】
2015503826.tif 000005
【図４】
2015503826.tif 000006
【図５】
2015503826.tif 000007
【図６】
2015503826.tif 000008
【図７】
2015503826.tif 000009
【国際調査報告】
2015503826.tif 000010
2015503826.tif 000011